(57)【要約】【課題】耐火区画の出入り口に用いられて好適な耐火型ドアを提供すること。【解決手段】ドア１８は、矩形板状の心材部３０と、心材部３０の前後面を覆う化粧板３２、３２と、心材部３０の４つの端面にそれぞれ設けられた発泡性材料３４とで構成されている。心材部３０は、けい酸カルシウム板、ケイカル板、石膏ボード、ＡＬＣ板などのような耐火性を有する耐火材で形成されている。化粧板３２は、鋼材、アルミ材、ステンレス材、木材などからなる化粧材で形成されている。発泡性材料３４は、耐火性を有する材料で形成され、心材部３０の上下、左右の４つの端面をそれぞれ覆うように設けられている。発泡性材料３４は、火災時の熱を受けることで発泡してドア枠１６の心材部２０に接触し、ドア１８の心材部３０の４つの端面とドア枠１６の心材部２０との間の隙間を閉塞する。【選択図】        図２
2004278197.tif 000002
【特許請求の範囲】
【請求項１】
耐火区画を構成する壁部の出入り口を開閉する耐火型ドアであって、
耐火性を有する部材で矩形板状に形成された心材部と、
前記心材部の前後面を覆うように設けられた化粧板と、
前記心材部の上下左右の４つの端面にそれぞれ設けられた熱感応型の耐火性を有する発泡性材料とを備え、
前記発泡性材料は、熱を受けることで発泡して前記心材部の４つの端面と前記出入り口との間の隙間を閉塞するように構成されている、
ことを特徴とする耐火型ドア。
【請求項２】
前記壁部にはドア枠が取着され、前記出入り口はこのドア枠の内側に形成され、前記ドア枠は、前記ドアが閉じられた状態で前記ドアの心材部の上下左右の４つの端面に臨む部分に、耐火性を有する部材で形成された心材部を備えていることを特徴とする請求項１記載の耐火型ドア。
【請求項３】
前記壁部にはドア枠が取着され、前記出入り口はこのドア枠の内側に形成され、前記ドア枠は、前記ドアが閉じられた状態で前記ドアの心材部の上下左右の４つの端面に臨む部分に、それぞれ耐火性を有する部材で形成された心材部を備え、前記発泡性材料が熱を受けることで発泡した際に前記ドア枠の心材部に接触し、前記ドアの心材部の４つの端面と前記ドア枠の心材部との間の隙間が閉塞されることを特徴とする請求項１記載の耐火型ドア。
【発明の詳細な説明】
【０００１】
【発明の属する技術分野】
本発明は耐火型ドアに関する。
【０００２】
【従来の技術】
従来、構造物の重要な建築要素や重要な設備機器は個別に耐火被覆されている。
そこで、構造物に耐火区画（耐火材で区画された領域）を作り、この耐火区画に構造物の重要な建築要素や重要な設備機器を収容することが考えられる。
例えば、構造物の下部構造に対して上部構造を免震支持する免震装置は、複数の積層ゴムなどを含んで構成され、これら積層ゴムなどは個別に耐火被覆されているが、耐火区画を作ってこの耐火区画に免震装置を収容してしまえば、積層ゴム毎の耐火被覆を省き、コストの削減化を図ることが可能となる。
【０００３】
【発明が解決しようとする課題】
しかしながら、このように耐火区画に免震装置を配設した場合、免震装置の点検のための出入り口が必要となる。
そして、この出入り口を開閉するドアは、点検の際に簡単に出入りできるように構造簡易で耐火性能（延焼遮断性能）を備えているものでなければならず、従来の防火ドアでは対応できない（特許文献１参照）。
【０００４】
【特許文献１】
特開平０９−２０９６６２号公報
本発明は前記事情に鑑み案出されたものであって、本発明の目的は、構造簡易で耐火性能を備える耐火型ドアを提供することにある。
【０００５】
【課題を解決するための手段】
前記目的を達成するため本発明は、耐火区画を構成する壁部の出入り口を開閉する耐火型ドアであって、耐火性を有する部材で矩形板状に形成された心材部と、前記心材部の前後面を覆うように設けられた化粧板と、前記心材部の上下左右の４つの端面にそれぞれ設けられた熱感応型の耐火性を有する発泡性材料とを備え、前記発泡性材料は、熱を受けることで発泡して前記心材部の４つの端面と前記出入り口との間の隙間を閉塞するように構成されていることを特徴とする。
【０００６】
本発明では、ドアの心材部は耐火材で形成されており、火災時に、発泡性材料が発泡して出入り口との間の隙間を閉塞する。
【０００７】
【発明の実施の形態】
以下、本発明の実施の形態を図面に基づいて詳細に説明する。
図１（Ａ）はドアの正面図、（Ｂ）は同断面側面図、図２（Ａ）はドア及びドア枠部分の上下部の拡大断面図、（Ｂ）は火災時におけるドア及びドア枠部分の上下部の拡大断面図を示す。
耐火区画を構成する壁部１２に、該耐火区画に出入りする出入り口１４が設けられている。出入り口１４は、壁部１２に取着されたドア枠１６の内側に形成され、出入り口１４は、ドア枠１６に結合された耐火型ドア１８で開閉され、ここで耐火型とは炎と煙と熱とを遮断するタイプのものをいう。
本実施の形態では、構造物の下部構造に対して上部構造を免震支持する免震装置が耐火区画の内部に収容されており、この耐火区画は、免震装置が配置される例えば建物と基礎との間の地下階や、あるいは、建物の中間階に設けられ、出入り口１４は免震装置の点検用の出入り口として機能している。
【０００８】
ドア枠１６は、上下の辺と左右の辺により矩形枠状に形成され、各辺は図２（Ａ）に拡大断面図で示すように、ドア１６により出入り口１４を閉じた状態で、ドア１６の上下左右の４つの端面に臨む心材部２０と、耐火区画に臨む心材部２０箇所に設けられた内側部２２と、耐火区画の外側に臨む心材部２０箇所に設けられた外側部２４とで断面がＬ字状に形成されている。
心材部２０は、けい酸カルシウム板、ケイカル板、石膏ボード、ＡＬＣ板などのような耐火性を有する耐火材で形成され、ドアの厚みに対応した幅で形成されている。
内側部２２と外側部２４は、鋼材、アルミ材、ステンレス材、木材などからなる化粧材で形成されている。
内側部２２は、ドア１６により出入り口１４を閉じた状態で耐火区画に向いたドア１６の表面の周囲４辺の外側に臨むように、心材部２０よりも大きな高さで形成され、外側部２４は心材部２０とほぼ同じ高さで形成されている。
そして、ドア枠１６はこのような心材部２０と内側部２２と外側部２４により耐火性能と断熱性能が確保されている。
【０００９】
ドア１８は、図２（Ａ）に示すように、矩形板状の心材部３０と、心材部３０の前後面を覆う化粧板３２、３２と、心材部３０の４つの端面にそれぞれ設けられた発泡性材料３４とで構成されている。
心材部３０は、ドア枠１６の心材部２０と同様に、けい酸カルシウム板、ケイカル板、石膏ボード、ＡＬＣ板などのような耐火性を有する耐火材で形成されている。
化粧板３２は、ドア枠１６の内側部２２および外側部２４と同様には、鋼材、アルミ材、ステンレス材、木材などからなる化粧材で形成されている。
そして、ドア１８はこのような心材部３０と化粧板３２により耐火性能と断熱性能が確保されている。
【００１０】
発泡性材料３４は、耐火性を有する材料で形成され、心材部３０の上下、左右の４つの端面をそれぞれ覆うように設けられている。
発泡性材料３４としては、例えば、カーボングラファイト系発泡材や珪酸ソーダ系発泡材などが用いられる。このような発泡性材料３４の市販品として積水化学工業株式会社の商品名「フィブロック」やオーストリアのケミリンツ社の「インツメックス」を用いることができる。
発泡性材料３４は、図２（Ｂ）に示すように、火災時の熱を受けることで発泡してドア枠１６の心材部２０に接触し、ドア１８の心材部３０の４つの端面とドア枠１６の心材部２０との間の隙間を閉塞するように、すなわち、ドア１８の全周の隙間を閉塞するように構成されている。
ドア１８は、図１（Ａ）に示すように、左右の辺の一方がヒンジ４０を介してドア枠１６に揺動可能に結合され、符号は取手４２を示す。
【００１１】
本実施の形態のドア１８は、構造簡単で免震装置の点検の際に簡単に開け閉めできて耐火区画に簡単に出入りできる。そして、ドア１８の大半は耐火材からなる心材部３０で形成され耐火性能（延焼遮断性能）を備えており、火災時にドア１８によって、出入り口１４部分から耐火区画の内部への延焼が防止される。
また、火災時に、発泡性材料３４がドア枠１６に接触し、出入り口１４において、耐火区画内部と耐火区画外部とを気密に遮断するので、出入り口１４部分から耐火区画の内部への延焼を防止する上で有利である。
本実施の形態では、発泡性材料３４が発泡して接触するドア枠１６部分も、耐火材からなる心材部２０で形成されているので、出入り口１４部分から耐火区画の内部への延焼を防止する上でより一層有利である。
したがって、本実施の形態のドア１８は、耐火区画を作ってこの耐火区画に免震装置を収容した場合に、免震装置の点検用ドアに用いられて好適となる。
【００１２】
【発明の効果】
以上説明したように本発明によれば、構造簡易で耐火性能を備える耐火型ドアが得られ、構造物の耐火区画の出入り口に用いられて好適である。
【図面の簡単な説明】
【図１】（Ａ）はドアの正面図、（Ｂ）は同断面側面図である。
【図２】（Ａ）はドア及びドア枠部分の上下部の拡大断面図、（Ｂ）は火災時におけるドア及びドア枠部分の上下部の拡大断面図である。
【符号の説明】
１２  壁部
１４  出入り口
１６  ドア枠
１８  ドア
２０、３０  心材部
２２  内側部
２４  外側部
３２  化粧板
３４  発泡性材料
【図１】
2004278197.tif 000003
【図２】
2004278197.tif 000004